(57)【要約】【課題】幅の異なる第１媒体及び第２媒体を搬送することが可能であるとともに、第２媒体が斜行することを抑制できる画像読取装置及び媒体搬送装置を提供する。【解決手段】画像読取装置１において、第１搬送ローラ対１１０の第１駆動ローラ１１１Ａ、１１２Ａ及び第１ピンチローラ１１２Ｂ、１１２Ｂは、幅方向において搬送領域２０外に位置し、第２搬送ローラ対１２０の第２駆動ローラ１２１Ａ及び第２ピンチローラ１２１Ｂは、幅方向において搬送領域２０内に位置する。第１駆動ローラ１１１Ａ、１１２Ａ及び第２駆動ローラ１２１Ａは、幅方向と平行な駆動軸心Ｘ１Ａ周りに回転可能に支持されている。第２ピンチローラ１２１Ｂは、第１ピンチローラ１１１Ｂ、１１２Ｂの外径Ｄ１より小さい外径Ｄ２をもつ。第１ピンチローラ１１１Ｂ、１１２Ｂ及び第２ピンチローラ１２１Ｂは、駆動軸心Ｘ１Ａと平行な従動軸心Ｘ１Ｂ周りに回転可能に支持される。【選択図】図８
2014069917.tif 000002
【特許請求の範囲】
【請求項１】
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、
前記第１媒体及び前記第２媒体の画像を読み取るように構成される読取部と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径より小さい外径をもち、
前記第１ピンチローラ及び前記第２ピンチローラは、前記駆動軸心と平行な従動軸心周りに回転可能に支持されていることを特徴とする画像読取装置。
【請求項２】
前記第２駆動ローラと前記第２ピンチローラとの間には、前記第２媒体の厚みより小さく、かつ前記第１媒体の厚みより大きい隙間が形成されている請求項１記載の画像読取装置。
【請求項３】
前記第２ピンチローラの摩擦係数は、前記第１ピンチローラの摩擦係数より小さい請求項１又は２記載の画像読取装置。
【請求項４】
前記第１ピンチローラは、前記従動軸心を規定する第１従動軸を有し、
前記第２ピンチローラは、前記第１従動軸とは別部材であり、前記従動軸心を規定する第２従動軸を有し、
前記第１従動軸及び前記第２従動軸のそれぞれが前記駆動軸心に向けて付勢され、
前記第１駆動ローラ及び前記第１ピンチローラが前記第１媒体を挟むと、前記第１従動軸が平行移動する一方、前記第２駆動ローラ及び前記第２ピンチローラが前記第２媒体を挟むと、前記第２従動軸が平行移動するように構成されている請求項１乃至３のいずれか１項記載の画像読取装置。
【請求項５】
前記筐体には、前記第１従動軸に当接可能であり、前記第１従動軸を支持するように構成される第１軸受と、前記第２従動軸に当接可能であり、前記第２従動軸を支持するように構成される第２軸受とが設けられ、
前記第１従動軸と前記第２従動軸とは、外径が同じであり、
前記第１軸受が前記第１従動軸に当接する位置と、前記第２軸受が前記第２従動軸に当接する位置とが同じである請求項４記載の画像読取装置。
【請求項６】
前記第１ピンチローラ及び前記第２ピンチローラは、前記従動軸心を規定する１本の共通従動軸を共有し、
前記共通従動軸が前記駆動軸心に向けて付勢されている請求項１乃至３のいずれか１項記載の画像読取装置。
【請求項７】
前記第１ピンチローラは、前記従動軸心を規定する第１従動軸を有し、
前記第２ピンチローラは、前記第１従動軸とは別部材であり、前記従動軸心を規定する第２従動軸を有し、
前記画像読取装置は、前記第１従動軸及び前記第２従動軸を保持するホルダと、
前記ホルダを前記駆動軸心に向けて付勢する付勢部とを備えている請求項１乃至３のいずれか１項記載の画像読取装置。
【請求項８】
画像読取装置であって、
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、
前記第１媒体及び前記第２媒体の画像を読み取るように構成される読取部と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径と同じ外径をもち、
前記第１ピンチローラは、前記駆動軸心と平行な第１従動軸心周りに回転可能に支持され、
前記第２ピンチローラは、前記駆動軸心と平行、かつ前記駆動軸心に対して前記第１従動軸心より離間する第２従動軸心周りに回転可能に支持され、
前記第１ピンチローラは、前記第１従動軸心を規定する第１従動軸を有し、
前記第２ピンチローラは、前記第１従動軸とは別部材であり、前記第２従動軸心を規定する第２従動軸を有し、
前記画像読取装置は、前記第１従動軸及び前記第２従動軸を保持するホルダと、
前記ホルダを前記駆動軸心に向けて付勢する付勢部とを備えていることを特徴とする画像読取装置。
【請求項９】
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径より小さい外径をもち、
前記第１ピンチローラ及び前記第２ピンチローラは、前記駆動軸心と平行な従動軸心周りに回転可能に支持されていることを特徴とする媒体搬送装置。
【請求項１０】
媒体搬送装置であって、
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径と同じ外径をもち、
前記第１ピンチローラは、前記駆動軸心と平行な第１従動軸心周りに回転可能に支持され、
前記第２ピンチローラは、前記駆動軸心と平行、かつ前記駆動軸心に対して前記第１従動軸心より離間する第２従動軸心周りに回転可能に支持され、
前記第１ピンチローラは、前記第１従動軸心を規定する第１従動軸を有し、
前記第２ピンチローラは、前記第１従動軸とは別部材であり、前記第２従動軸心を規定する第２従動軸を有し、
前記媒体搬送装置は、前記第１従動軸及び前記第２従動軸を保持するホルダと、
前記ホルダを前記駆動軸心に向けて付勢する付勢部とを備えていることを特徴とする媒体搬送装置。
【発明の詳細な説明】
【技術分野】
【０００１】
本発明は画像読取装置及び媒体搬送装置に関する。
【背景技術】
【０００２】
特許文献１に画像読取装置の例が開示されている。この画像読取装置は、筐体と、第１搬送ローラ対と、第２搬送ローラ対とを備えている。
【０００３】
筐体には、搬送路が形成されている。搬送路は、第１媒体を案内するように構成されるとともに、第２媒体を案内するように構成されている。第２媒体は、第１媒体より幅狭、かつ肉厚である。第２媒体は、搬送路において第１媒体の幅方向の一端側に位置する搬送領域において案内される。
【０００４】
第１搬送ローラ対は、回転駆動される第１駆動ローラと、第１駆動ローラに向けて付勢され、第１駆動ローラによって従動回転する第１ピンチローラとを有している。第１駆動ローラ及び第１ピンチローラにおける幅方向の一端側の一部は、幅方向において搬送領域内に位置している。第１搬送ローラ対は、第１媒体を搬送路において搬送するように構成されているとともに、第２媒体を搬送路において搬送するように構成されている。
【０００５】
第２搬送ローラ対は、回転駆動される第２駆動ローラと、第２駆動ローラに向けて付勢され、第２駆動ローラによって従動回転する第２ピンチローラとを有している。第２駆動ローラ及び第２ピンチローラは、幅方向において搬送領域内に位置している。第２搬送ローラ対は、第１搬送ローラ対とともに、第２媒体を搬送路において搬送するように構成されている。
【０００６】
第１駆動ローラ及び第２駆動ローラは、幅方向と平行な駆動軸心周りに回転可能に支持されている。第１ピンチローラは、駆動軸心と平行な第１従動軸心周りに回転可能に支持されている。第２ピンチローラは、駆動軸心と平行、かつ駆動軸心に対して第１従動軸心より離間する第２従動軸心周りに回転可能に支持されている。
【０００７】
上記画像読取装置では、このような第１搬送ローラ対及び第２搬送ローラ対が動作することにより、幅の異なる第１媒体及び第２媒体を搬送することができる。
【先行技術文献】
【特許文献】
【０００８】
【特許文献１】特開２００８−２８５２５９号公報
【発明の概要】
【発明が解決しようとする課題】
【０００９】
ところで、上記画像読取装置では、第１駆動ローラ及び第１ピンチローラにおける幅方向の一端側の一部が幅方向において搬送領域内に位置していることから、第２媒体を搬送する場合、第２媒体に対して、第１ピンチローラにおける幅方向の一端側の一部と、第２ピンチローラとが当接する。この際、特許文献１の図５及び図７に示されているように、第１媒体より肉厚である第２媒体に対して第１ピンチローラが片当たりし易い。片当たりとは、例えば、第１ピンチローラが部分的に第２媒体に当接し、第１ピンチローラのその他の部分が第１駆動ローラに当接したような状態である。このため、第１ピンチローラの第１従動軸心が傾斜し易い。そうすると、第１ピンチローラから第２媒体に作用する搬送抵抗と、第２ピンチローラから第２媒体に作用する搬送抵抗とのバランスが崩れてしまうおそれがある。その結果、この画像読取装置では、第２媒体が搬送路の搬送領域において斜行し易いという問題がある。
【００１０】
本発明は、上記従来の実情に鑑みてなされたものであって、幅の異なる第１媒体及び第２媒体を搬送することが可能であるとともに、第２媒体が搬送路の搬送領域において斜行することを抑制できる画像読取装置及び媒体搬送装置を提供することを目的とする。
【課題を解決するための手段】
【００１１】
請求項１記載の本発明の画像読取装置は、第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、
前記第１媒体及び前記第２媒体の画像を読み取るように構成される読取部と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径より小さい外径をもち、
前記第１ピンチローラ及び前記第２ピンチローラは、前記駆動軸心と平行な従動軸心周りに回転可能に支持されていることを特徴とする。
【００１２】
上記本発明の画像読取装置では、第１搬送ローラ対及び第２搬送ローラ対が動作することにより、幅の異なる第１媒体及び第２媒体を搬送することができる。
【００１３】
そして、この画像読取装置では、第１駆動ローラ及び第１ピンチローラが幅方向において第２媒体の搬送領域外に位置していることから、第２媒体を搬送する場合、第２媒体に対して、第１駆動ローラ及び第１ピンチローラは当接せず、第２駆動ローラ及び第２ピンチローラが当接し得る。その結果、この画像読取装置では、上述した第２媒体に作用する搬送抵抗のバランスが崩れてしまうという不具合が発生し難い。
【００１４】
したがって、本発明の画像読取装置では、幅の異なる第１媒体及び第２媒体を搬送することが可能であるとともに、第２媒体が斜行することを抑制できる。
【００１５】
また、この画像読取装置では、第２ピンチローラが第１ピンチローラの外径より小さい外径をもち、第１ピンチローラ及び第２ピンチローラは、同じ従動軸心周りに回転可能に支持されている。従って、第２媒体よりも薄い第１媒体が搬送される場合、第１媒体が第２ピンチローラに当接し難い。第１媒体が第２ピンチローラに当接する場合、第２ピンチローラから第１媒体に搬送抵抗が作用し、第１媒体が斜行し得る。しかし、本発明の画像読取装置は、第１媒体が第２ピンチローラに当接し難いため、第１媒体の斜行を抑制できる。
【００１６】
請求項２記載の本発明は、請求項１記載の発明において、第２駆動ローラと第２ピンチローラとの間には、第２媒体の厚みより小さく、かつ第１媒体の厚みより大きい隙間が形成されている。
【００１７】
この構成によれば、第２駆動ローラと第２ピンチローラとの間に形成された隙間が第２媒体の厚みより小さいことにより、第２駆動ローラ及び第２ピンチローラが第２媒体を確実に挟むことができる。また、その隙間が第１媒体の厚みより大きいことにより、第１媒体と第２ピンチローラとが接触し難いので、第２ピンチローラから第１媒体に搬送抵抗が作用し難い。その結果、この画像読取装置では、第１媒体の斜行を抑制できる。
【００１８】
請求項３記載の本発明は、請求項１又は２記載の発明において、第２ピンチローラの摩擦係数は、第１ピンチローラの摩擦係数より小さい。例えば、第１媒体が幅方向においてカールしている場合等には、第１媒体と第２ピンチローラとが接触し易くなる。このような場合でも、第２ピンチローラの摩擦係数が第１ピンチローラの摩擦係数より小さいことにより、第２ピンチローラから第１媒体に作用する搬送抵抗が小さくなる。その結果、この画像読取装置では、第１媒体の斜行を確実に抑制できる。
【００１９】
請求項４記載の本発明は、請求項１乃至３のいずれか１項記載の発明において、第１ピンチローラは、従動軸心を規定する第１従動軸を有している。第２ピンチローラは、第１従動軸とは別部材であり、従動軸心を規定する第２従動軸を有している。第１従動軸及び第２従動軸のそれぞれが駆動軸心に向けて付勢されている。第１駆動ローラ及び第１ピンチローラが第１媒体を挟むと、第１従動軸が平行移動する一方、第２駆動ローラ及び第２ピンチローラが第２媒体を挟むと、第２従動軸が平行移動するように構成されている。
【００２０】
仮に第１従動軸と第２従動軸とが一部材であると、第１駆動ローラ及び第１ピンチローラが第１媒体を挟む場合と、第２駆動ローラ及び第２ピンチローラが第２媒体を挟む場合とで、第１従動軸と第２従動軸とがともに変位してしまい、第１ピンチローラと第２ピンチローラとが互いに影響を及ぼすおそれがある。この点、上記構成によれば、第１駆動ローラ及び第１ピンチローラが第１媒体を挟む場合と、第２駆動ローラ及び第２ピンチローラが第２媒体を挟む場合とで、第１従動軸と第２従動軸とが別々に平行移動するので、第１ピンチローラと第２ピンチローラとが互いに影響を及ぼさない。その結果、この画像読取装置では、第１媒体及び第２媒体の斜行を抑制できる。
【００２１】
請求項５記載の本発明は、請求項４記載の発明において、筐体には、第１従動軸に当接可能であり、第１従動軸を支持するように構成される第１軸受と、第２従動軸に当接可能であり、第２従動軸を支持するように構成される第２軸受とが設けられている。第１従動軸と第２従動軸とは、外径が同じである。第１軸受が第１従動軸に当接する位置と、第２軸受が第２従動軸に当接する位置とが同じである。
【００２２】
この構成によれば、第１軸受及び第２軸受の高さが異なる場合と比較して、第１軸受及び第２軸受を嵩張らなくすることができる。その結果、この画像読取装置では、薄型化を確実しつつ第１媒体及び第２媒体の斜行を抑制できる。
【００２３】
請求項６記載の本発明は、請求項１乃至３のいずれか１項記載の発明において、第１ピンチローラ及び第２ピンチローラは、従動軸心を規定する１本の共通従動軸を共有している。共通従動軸が駆動軸心に向けて付勢されている。この構成によれば、第１ピンチローラと第２ピンチローラとがそれぞれ専用の従動軸を有している場合と比較して、部品点数を削減しつつ第１媒体及び第２媒体の斜行を抑制できる。
【００２４】
請求項７記載の本発明は、請求項１乃至３のいずれか１項記載の発明において、第１ピンチローラは、従動軸心を規定する第１従動軸を有している。第２ピンチローラは、第１従動軸とは別部材であり、従動軸心を規定する第２従動軸を有している。画像読取装置は、第１従動軸及び第２従動軸を保持するホルダと、ホルダを駆動軸心に向けて付勢する付勢部とを備えている。この構成によれば、第１媒体及び第２媒体の斜行を抑制できる。
【００２５】
請求項８記載の本発明の画像読取装置は、画像読取装置であって、
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、
前記第１媒体及び前記第２媒体の画像を読み取るように構成される読取部と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径と同じ外径をもち、
前記第１ピンチローラは、前記駆動軸心と平行な第１従動軸心周りに回転可能に支持され、
前記第２ピンチローラは、前記駆動軸心と平行、かつ前記駆動軸心に対して前記第１従動軸心より離間する第２従動軸心周りに回転可能に支持され、
前記第１ピンチローラは、前記第１従動軸心を規定する第１従動軸を有し、
前記第２ピンチローラは、前記第１従動軸とは別部材であり、前記第２従動軸心を規定する第２従動軸を有し、
前記画像読取装置は、前記第１従動軸及び前記第２従動軸を保持するホルダと、
前記ホルダを前記駆動軸心に向けて付勢する付勢部とを備えていることを特徴とする。
【００２６】
上記本発明の画像読取装置では、第１搬送ローラ対及び第２搬送ローラ対が動作することにより、幅の異なる第１媒体及び第２媒体を搬送することができる。
【００２７】
そして、この画像読取装置では、第１駆動ローラ及び第１ピンチローラが幅方向において第２媒体の搬送領域外に位置していることから、第２媒体を搬送する場合、第２媒体に対して、第１駆動ローラ及び第１ピンチローラは当接せず、第２駆動ローラ及び第２ピンチローラが当接し得る。その結果、この画像読取装置では、上述した第２媒体に作用する搬送抵抗のバランスが崩れてしまうという不具合が発生し難い。
【００２８】
したがって、本発明の画像読取装置では、幅の異なる第１媒体及び第２媒体を搬送することが可能であるとともに、第２媒体が斜行することを抑制できる。
【００２９】
請求項９記載の本発明の媒体搬送装置は、第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径より小さい外径をもち、
前記第１ピンチローラ及び前記第２ピンチローラは、前記駆動軸心と平行な従動軸心周りに回転可能に支持されていることを特徴とする。
【００３０】
上記本発明の媒体搬送装置では、第１搬送ローラ対及び第２搬送ローラ対が動作することにより、幅の異なる第１媒体及び第２媒体を搬送することができる。
【００３１】
そして、この媒体搬送装置では、第１駆動ローラ及び第１ピンチローラが幅方向において第２媒体の搬送領域外に位置していることから、第２媒体を搬送する場合、第２媒体に対して、第１駆動ローラ及び第１ピンチローラは当接せず、第２駆動ローラ及び第２ピンチローラが当接し得る。その結果、この媒体搬送装置では、上述した第２媒体に作用する搬送抵抗のバランスが崩れてしまうという不具合が発生し難い。
【００３２】
したがって、本発明の媒体搬送装置では、幅の異なる第１媒体及び第２媒体を搬送することが可能であるとともに、第２媒体が斜行することを抑制できる。
【００３３】
また、この媒体搬送装置では、第２ピンチローラが第１ピンチローラの外径より小さい外径をもち、第１ピンチローラ及び第２ピンチローラは、同じ従動軸心周りに回転可能に支持されている。従って、第２媒体よりも薄い第１媒体が搬送される場合、第１媒体が第２ピンチローラに当接し難い。第１媒体が第２ピンチローラに当接する場合、第２ピンチローラから第１媒体に搬送抵抗が作用し、第１媒体が斜行し得る。しかし、本発明の媒体搬送装置は、第１媒体が第２ピンチローラに当接し難いため、第１媒体の斜行を抑制できる。
【００３４】
請求項１０記載の本発明の媒体搬送装置は、媒体搬送装置であって、
第１媒体を案内するように構成されるとともに、前記第１媒体より幅狭、かつ肉厚である第２媒体を案内するように構成される搬送路が形成された筐体と、
回転駆動される第１駆動ローラと、前記第１駆動ローラに向けて付勢され、前記第１駆動ローラによって従動回転する第１ピンチローラとを有し、前記第１媒体を前記搬送路において搬送するように構成される第１搬送ローラ対と、
回転駆動される第２駆動ローラと、前記第２駆動ローラに向けて付勢され、前記第２駆動ローラによって従動回転する第２ピンチローラとを有し、前記第２媒体を前記搬送路において搬送するように構成される第２搬送ローラ対と、を備え、
前記第２媒体は、前記搬送路において前記第１媒体の幅方向の一端側に位置する搬送領域において案内され、
前記第１駆動ローラ及び前記第１ピンチローラは、前記幅方向において前記搬送領域外に位置し、
前記第２駆動ローラ及び前記第２ピンチローラは、前記幅方向において前記搬送領域内に位置し、
前記第１駆動ローラ及び前記第２駆動ローラは、前記幅方向と平行な駆動軸心周りに回転可能に支持され、
前記第２ピンチローラは、前記第１ピンチローラの外径と同じ外径をもち、
前記第１ピンチローラは、前記駆動軸心と平行な第１従動軸心周りに回転可能に支持され、
前記第２ピンチローラは、前記駆動軸心と平行、かつ前記駆動軸心に対して前記第１従動軸心より離間する第２従動軸心周りに回転可能に支持され、
前記第１ピンチローラは、前記第１従動軸心を規定する第１従動軸を有し、
前記第２ピンチローラは、前記第１従動軸とは別部材であり、前記第２従動軸心を規定する第２従動軸を有し、
前記媒体搬送装置は、前記第１従動軸及び前記第２従動軸を保持するホルダと、
前記ホルダを前記駆動軸心に向けて付勢する付勢部とを備えていることを特徴とする。
【００３５】
上記本発明の媒体搬送装置では、第１搬送ローラ対及び第２搬送ローラ対が動作することにより、幅の異なる第１媒体及び第２媒体を搬送することができる。
【００３６】
そして、この媒体搬送装置では、第１駆動ローラ及び第１ピンチローラが幅方向において第２媒体の搬送領域外に位置していることから、第２媒体を搬送する場合、第２媒体に対して、第１駆動ローラ及び第１ピンチローラは当接せず、第２駆動ローラ及び第２ピンチローラが当接し得る。その結果、この媒体搬送装置では、上述した第２媒体に作用する搬送抵抗のバランスが崩れてしまうという不具合が発生し難い。
【００３７】
したがって、本発明の媒体搬送装置では、幅の異なる第１媒体及び第２媒体を搬送することが可能であるとともに、第２媒体が斜行することを抑制できる。
【図面の簡単な説明】
【００３８】
【図１】本発明の画像読取装置及び媒体搬送装置を具体化した第１実施例の画像読取装置１の主に前方を示す斜視図である。
【図２】上記画像読取装置１の主に後方を示す斜視図である。
【図３】給送トレイ３６が開位置にある状態の上記画像読取装置１の主に前方を示す斜視図である。
【図４】上記画像読取装置１のブロック図である。
【図５】給送トレイ３６が開位置にある状態の上記画像読取装置１の上面図である。
【図６】図５のＡ−Ａ断面を示す模式断面図である。
【図７】図５のＢ−Ｂ断面であって、給送トレイ３６が閉位置にある状態を示す模式断面図である。
【図８】図５のＣ−Ｃ断面において、第１搬送ローラ対１１０と、第２搬送ローラ対１２０とを抜き出して示す模式図である。
【図９】図５のＣ−Ｃ断面において、シートＳＨを搬送する第１搬送ローラ対１１０と、第２搬送ローラ対１２０とを抜き出して示す模式図である。
【図１０】図５のＣ−Ｃ断面において、第１搬送ローラ対１１０と、カードＣＡを搬送する第２搬送ローラ対１２０とを抜き出して示す模式図である。
【図１１】第２実施例の画像読取装置に係り、図８と同様の断面において、第１搬送ローラ対１１０と第２搬送ローラ対１２０とを抜き出して示す模式図である。
【図１２】第３実施例の画像読取装置に係り、図８と同様の断面において、第１搬送ローラ対１１０と第２搬送ローラ対１２０とを抜き出して示す模式図である。
【図１３】第４実施例の画像読取装置に係り、図８と同様の断面において、第１搬送ローラ対１１０と第２搬送ローラ対１２０とを抜き出して示す模式図である。
【図１４】第５実施例の画像読取装置の主に前方を示す斜視図である。
【図１５】第５実施例の画像読取装置の主に後方を示す斜視図である。
【図１６】第６実施例の画像読取装置の主に後方を示す斜視図である。
【発明を実施するための形態】
【００３９】
以下、本発明を具体化した第１実施例、第２実施例、第３実施例、第４実施例、第５実施例及び第６実施例を、図面を参照しつつ説明する。
【００４０】
（第１実施例）
図１に示すように、第１実施例の画像読取装置１は、本発明の画像読取装置及び媒体搬送装置の具体的態様の一例である。図１では、第１排出口１２側を装置の前側と規定し、第１排出口１２に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００４１】
＜構成＞
図１〜図７に示すように、画像読取装置１は、筐体３０と、給送トレイ３６と、制御基板５４と、搬送部４０と、読取部５５と、タッチパネル７０と、開閉位置センサ６０とを備えている。
【００４２】
図３、図６及び図７に示すように、筐体３０は、第１筐体３１と、第２筐体３２と、一対のサイドフレーム３３Ｌ、３３Ｒとが組み合わされてなる。
【００４３】
上側に位置する第１筐体３１と、下側に位置する第２筐体３２とは、上下方向の間隔を有して互いに対向している。左側のサイドフレーム３３Ｌ及び右側のサイドフレーム３３Ｒは、第１筐体３１及び第２筐体３２を左右方向の外側から挟んでいる。
【００４４】
第１筐体３１は、上面３１Ａ、前面３１Ｂ及び上側案内面３１Ｇ等を有する。上面３１Ａは、上方を向く平面である。上面３１Ａは、後方に向かって上り傾斜している。上面３１Ａの中央には、タッチパネル７０が設けられている。前面３１Ｂは、前方を向く平面である。前面３１Ｂは、上面３１Ａの前端縁に連続し、下方に向かって垂直に延びている。上側案内面３１Ｇは、下方を向く屈曲平面である。上側案内面３１Ｇは、前面３１Ｂの下端縁３１ＢＡに連続し、後方に向かって略水平に延びている。そして、上側案内面３１Ｇは、第１筐体３１における前後方向の略中央において上向きに屈曲し、後方に向かって上り傾斜している。
【００４５】
第２筐体３２は、前面３２Ｂ、下側案内面３２Ｇ及び後面３２Ｃを有する。前面３２Ｂは、前方を向く平面である。前面３２Ｂの上端縁３２ＢＡは、前面３１Ｂの下端縁３１ＢＡに対して、隙間を有して下側に離間している。前面３２Ｂは、下方に向かって垂直に延びている。下側案内面３２Ｇは、上方を向く屈曲平面である。下側案内面３２Ｇは、前面３２Ｂの上端縁３２ＢＡに連続し、後方に向かって水平に延びている。そして、下側案内面３２Ｇは、第２筐体３２における前後方向の中央において上向きに屈曲し、後方に向かって上り傾斜している。後面３２Ｃは、後方を向く平面である。後面３２Ｃは、下方に向かって垂直に延びている。
【００４６】
図５及び図７に示すように、第２筐体３２は、下側カード案内面３２Ｉ及び上側カード案内面３２Ｈを有している。下側カード案内面３２Ｉは、下側案内面３２Ｇの水平部分における右端部に連続し、後方に向かって水平に延びて後面３２Ｃまで達している。上側カード案内面３２Ｈは、下側カード案内面３２Ｉに対して上方に離間している。上側カード案内面３２Ｈは、下側カード案内面３２Ｉと平行に、後方に向かって水平に延びて後面３２Ｃまで達している。図７に示すように、上側カード案内面３２Ｈの上下方向の高さは、上側案内面３１Ｇの水平部分の上下方向の高さとほぼ同じである。
【００４７】
図１〜図３及び図５〜図７に示すように、筐体３０には、第１導入口１１と、第１排出口１２と、搬送路１０とが形成されている。
【００４８】
図３、図６及び図７に示すように、第１導入口１１に、シートＳＨが導入される。シートＳＨは、例えば、用紙やＯＨＰシート等である。シートＳＨは、本発明の「第１媒体」の一例である。第１導入口１１は、第１筐体３１と第２筐体３２との間に形成されている。より詳しくは、第１導入口１１は、上側案内面３１Ｇの後端縁３１ＧＡと、下側案内面３２Ｇの後端縁３２ＧＡとの隙間である。第１導入口１１は、左側のサイドフレーム３３Ｌの近傍から右側のサイドフレーム３３Ｒの近傍まで、左右方向に延びている。第１導入口１１の左右方向の長さは、シートＳＨの幅よりも長くされている。
【００４９】
第１排出口１２から、シートＳＨが排出される。第１排出口１２は、第１筐体３１と第２筐体３２との間に形成されている。より詳しくは、第１排出口１２は、前面３１Ｂの下端縁３１ＢＡと、前面３２Ｂの上端縁３２ＢＡとの隙間である。第１排出口１２は、左側のサイドフレーム３３Ｌの近傍から右側のサイドフレーム３３Ｒの近傍まで、左右方向に延びている。第１排出口１２の左右方向の長さは、第１導入口１１と同様、シートＳＨの幅よりも長くされている。
【００５０】
図６及び図７に示すように、搬送路１０は、第１導入口１１から第１排出口１２へシートＳＨを案内する。搬送路１０は、第１筐体３１と第２筐体３２との間に形成されている。より詳しくは、搬送路１０は、上側案内面３１Ｇと下側案内面３２Ｇとに上下方向から挟まれてなる通路である。本開示において、例えば、「上側案内面３１Ｇ又は下側案内面３２Ｇに案内される」と記載した場合、必ずしもシートＳＨが上側案内面３１Ｇ又は下側案内面３２Ｇに常に当接しながら搬送することを意味しない。従って、「案内」されるとは、例えば、シートＳＨが下側案内面３２Ｇに時折当接して搬送されることも含む記載である。搬送路１０は、第１導入口１１から前方に向かって下り傾斜している。そして、搬送路１０は、筐体３０における前後方向の中央において前向きに屈曲し、第１排出口１２まで水平に延びている。
【００５１】
本実施例において、搬送路１０において案内されるシートＳＨの幅方向は、左右方向である。また、本実施例において、シートＳＨの幅方向の一端側は右端側であり、シートＳＨの幅方向の他端側は左端側である。
【００５２】
図５及び図７に示すように、搬送路１０における右端側、すなわち、シートＳＨの幅方向の一端側に位置する領域は、カード搬送領域２０とされている。カード搬送領域２０は、本発明の「搬送領域」の一例である。
【００５３】
図１〜図３、図５及び図７に示すように、筐体３０には、第２導入口２１と、第２排出口２２と、カード通過路２９とが形成されている。
【００５４】
図２、図５及び図７に示すように、第２導入口２１に、シートＳＨより幅狭であるカードＣＡが導入される。カードＣＡは、シートＳＨより小面積の枚葉である。カードＣＡは、例えば、名刺、キャッシュカード、会員証又は免許証等である。カードＣＡの短辺の長さは、例えば、国際標準化機構（ＩＳＯ）／国際電気標準会議（ＩＥＣ）による国際規格ＩＤ−１の５３．９８ｍｍである。カードＣＡの長辺の長さは、例えば、国際標準化機構（ＩＳＯ）／国際電気標準会議（ＩＥＣ）による国際規格ＩＤ−１の８５．６０ｍｍである。カードＣＡは、シートＳＨより肉厚であり、剛性が高い。カードＣＡは、本発明の「第２媒体」の一例である。第２導入口２１は、第２筐体３２に形成されている。より詳しくは、第２導入口２１は、後面３２Ｃにおける上下方向の中間部、かつ右側のサイドフレーム３３Ｒ側において前後方向に開口している。第２導入口２１は、左右方向に延びている。第２導入口２１の左右方向の長さは、カードＣＡの幅よりも長くされている。第２導入口２１の上下方向の高さは、搬送路１０の水平部分及び第１排出口１２の上下方向の高さとほぼ同じである。
【００５５】
図１、図３、図５及び図７に示すように、第２排出口２２から、カードＣＡが排出される。第２排出口２２は、第１筐体３１と第２筐体３２との間に形成されている。より詳しくは、第２排出口２２は、前面３１Ｂの下端縁３１ＢＡにおける右端部３１ＢＢと、前面３２Ｂの上端縁３２ＢＡにおける右端部３２ＢＢとの隙間である。第２排出口２２は、右側のサイドフレーム３３Ｒの近傍から左方に向かって細長く延びている。第２排出口２２の左右方向の長さも、第２導入口２１と同様、カードＣＡの幅よりも長くされている。第２排出口２２は、第１排出口１２の右端側の一部と共用されている。
【００５６】
すなわち、図１に示すように、第１排出口１２は、第２排出口２２の下部領域２２Ａを含む。従って、シートＳＨは、第２排出口２２の下部領域２２Ａを通過して、第２排出口２２の下部領域２２Ａから排出され得る。カードＣＡは、第２排出口２２の下部領域２２Ａから排出され、又は第２排出口２２の下部領域２２Ａ及び第２排出口２２の上部領域２２Ｂから排出され得る。このように、本開示において、「第１」排出口、及び「第２」排出口との記載は、第１排出口が第２排出口を含む場合をも含む記載である。「第１」導入口、及び「第２」導入口との記載に関しても、同様に第１導入口が第２導入口を含む場合をも含む記載である。
【００５７】
第２排出口２２の上下方向の開口幅Ｗ２は、カードＣＡの厚みの範囲に対応して、第１排出口１２の上下方向の開口幅Ｗ１よりも大きくされている。
【００５８】
図５及び図７に示すように、カード通過路２９は、上側カード案内面３２Ｈと、下側カード案内面３２Ｉとに上下方向から挟まれてなる通路である。カード通過路２９と、搬送路１０の右端側に位置するカード搬送領域２０とは、後方の第２導入口２１から前方の第２排出口２２まで水平に延びている。カード通過路２９とカード搬送領域２０とは、第２導入口２１から第２排出口２２へカードＣＡを案内する。
【００５９】
図３及び図５に示すように、給送トレイ３６の左右の角部には、一対のヒンジ部３６Ｌ、３６Ｒが一体に形成されている。給送トレイ３６の中央には、上方に開口する操作開口３９が形成されている。給送トレイ３６は、両ヒンジ部３６Ｌ、３６Ｒを介して、開閉軸心Ｘ３６周りに回動可能に両サイドフレーム３３Ｌ、３３Ｒに支持されている。開閉軸心Ｘ３６は、サイドフレーム３３Ｌ、３３Ｒの後側上端部に位置して左右方向に延びている。
【００６０】
図１、図２及び図７に示すように、給送トレイ３６は、閉じた状態で第１筐体３１の上面３１Ａを上方から覆っている。図１、図２及び図７に示す給送トレイ３６の位置を「閉位置」とする。給送トレイ３６は、閉位置にある場合、開閉軸心Ｘ３６から前方に向かって下り傾斜するように位置している。図１に示すように、操作開口３９は、給送トレイ３６が閉位置にある状態でタッチパネル７０を外部に露出させている。
【００６１】
そして、図３、図５及び図６に示すように、給送トレイ３６は、図１等に示す状態から開閉軸心Ｘ３６周りに後方に回動して開かれることにより、筐体３０の後ろ側で後方に向かって上り傾斜する位置に変位する。図３、図５及び図６に示す給送トレイ３６の位置を「開位置」とする。
【００６２】
図３及び図６に示すように、給送トレイ３６は、開位置では下側案内面３２Ｇの傾斜部分に連続するように傾斜し、第１導入口１１を開放している。給送トレイ３６には、１枚又は複数枚のシートＳＨが載置される。図示は省略するが、給送トレイ３６は、左右一対のガイド部を有している。ガイド部は、給送トレイ３６に載置されるシートＳＨを左右方向の外側から挟んで左右方向の位置決めを行う。給送トレイ３６に載置されたシートＳＨは、第１導入口１１に導入され、搬送路１０において第１排出口１２へ案内される。
【００６３】
図４、図６及び図７に示すように、電力が図示しない家庭用コンセントからＡＣアダプタ５９及び制御基板５４を経由して、搬送部４０、読取部５５、タッチパネル７０、開閉位置センサ６０等へ供給される。
【００６４】
図４に示すように、制御基板５４は、ＣＰＵ、ＲＯＭ及びＲＡＭ等を備えている。制御基板５４は、搬送部４０、読取部５５、タッチパネル７０、開閉位置センサ６０等に電気的に接続されて、それらを制御する。
【００６５】
図５〜図７に示すように、搬送部４０は、分離ローラ４８、分離パッド４９、上流側搬送部４１及び下流側搬送部４２を備えている。読取部５５は、画像読取センサ５５Ａ、５５Ｂを有している。これらは、搬送路１０において、第１導入口１１から第１排出口１２に向かって、分離ローラ４８及び分離パッド４９、上流側搬送部４１、画像読取センサ５５Ａ、５５Ｂ、下流側搬送部４２という順番で配設されている。以下、この順番で、これらの構成を説明する。
【００６６】
図６に示すように、分離ローラ４８は、第２筐体３２内に回転可能に支持されている。分離ローラ４８の上部は、下側案内面３２Ｇの傾斜部分から搬送路１０に露出している。図５に示すように、分離ローラ４８は、搬送路１０における左右方向の中間に位置している。分離ローラ４８は、制御基板５４が図４に示す駆動モータ４０Ｍを制御することにより駆動モータ４０Ｍに駆動される。そして、分離ローラ４８は、給送トレイ３６に載置されたシートＳＨに当接しつつ回転することにより、そのシートＳＨを搬送路１０に送り出す。
【００６７】
分離パッド４９は、第１筐体３１に組み付けられている。分離パッド４９は、上側案内面３１Ｇにおいて搬送路１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、搬送路１０において搬送されるシートＳＨを挟んで一枚ずつ分離し得る。
【００６８】
図５〜図７に示すように、上流側搬送部４１は、筐体３０内で分離ローラ４８より搬送路１０の下流側、すなわち第１排出口１２側、かつ画像読取センサ５５Ａ、５５Ｂより搬送路１０の上流側、すなわち第１導入口１１側に設けられている。
【００６９】
図５及び図８〜図１０に示すように、上流側搬送部４１は、第１搬送ローラ対１１０と、第２搬送ローラ対１２０とを備えている。第１搬送ローラ対１１０は、カード搬送領域２０外に位置し、搬送路１０においてシートＳＨを搬送する。第２搬送ローラ対１２０は、カード搬送領域２０内に位置し、搬送路１０のカード搬送領域２０においてカードＣＡを搬送する。
【００７０】
より詳しくは、図８に示すように、第１搬送ローラ対１１０は、２組のローラ対からなっている。すなわち、第１搬送ローラ対１１０は、第１駆動ローラ１１１Ａと、第１ピンチローラ１１１Ｂとを有している。また、第１搬送ローラ対１１０は、第１駆動ローラ１１２Ａと、第１ピンチローラ１１２Ｂとを有している。第１駆動ローラ１１１Ａ及び第１ピンチローラ１１１Ｂは、左右方向において、分離ローラ４８と、カード搬送領域２０との間に位置している。第１駆動ローラ１１２Ａ及び第１ピンチローラ１１２Ｂは、左右方向において、分離ローラ４８より左側に位置している。第１駆動ローラ１１１Ａ、１１２Ａ及び第１ピンチローラ１１１Ｂ、１１２Ｂは、カード搬送領域２０外に位置している。
【００７１】
図５に示すように、第２搬送ローラ対１２０は、左右方向において、分離ローラ４８及び第１搬送ローラ対１１０に対して右側に位置している。図８に示すように、第２搬送ローラ対１２０は、第２駆動ローラ１２１Ａと、第１ピンチローラ１２１Ｂとを有している。第２駆動ローラ１２１Ａ及び第２ピンチローラ１２１Ｂは、カード搬送領域２０内に位置している。
【００７２】
図６及び図７に示すように、第１駆動ローラ１１１Ａ、１１２Ａ及び第２駆動ローラ１２１Ａの上部は、下側案内面３２Ｇの傾斜部分と水平部分との接続部から搬送路１０に露出している。第１ピンチローラ１１１Ｂ、１１２Ｂ及び第２ピンチローラ１２１Ｂの下部は、上側案内面３１Ｇの傾斜部分と水平部分との接続部から搬送路１０に露出している。
【００７３】
第１駆動ローラ１１１Ａ、１１２Ａと第２駆動ローラ１２１Ａとは、外径が同じである。図８に示すように、第２ピンチローラ１２１Ｂは、第１ピンチローラ１１１Ｂ、１１２Ｂの外径Ｄ１より小さい外径Ｄ２をもっている。第２ピンチローラ１２１Ｂの摩擦係数μ２は、第１ピンチローラ１１１Ｂ、１１２Ｂの摩擦係数μ１より小さい。
【００７４】
図８に示すように、第１駆動ローラ１１１Ａ、１１２Ａ及び第２駆動ローラ１２１Ａは、第２筐体３２内において、１本の駆動軸１１０Ｓに一体回転可能に取り付けられている。駆動軸１１０Ｓは、左右方向と平行な駆動軸心Ｘ１Ａを規定している。
【００７５】
第１ピンチローラ１１１Ｂ、１１２Ｂは、第１筐体３１において、第１従動軸１０１に対して回転可能に支持されている。第２ピンチローラ１２１Ｂは、第１筐体３１において、第２従動軸１０２に対して回転可能に支持されている。第１従動軸１０１の外径Ｄ１０１と、第２従動軸１０２の外径Ｄ１０２とは、同じである。
【００７６】
第１従動軸１０１には、付勢バネ１０１Ｆが連結されている。付勢バネ１０１Ｆが第１従動軸１０１を駆動軸心Ｘ１Ａに向けて付勢することにより、第１ピンチローラ１１１Ｂ、１１２Ｂは、第１駆動ローラ１１１Ａ、１１２Ａに向けて付勢されている。第２ピンチローラ１２１Ｂには、付勢バネ１０２Ｆが連結されている。付勢バネ１０２Ｆが第２従動軸１０２を駆動軸心Ｘ１Ａに向けて付勢することにより、第２ピンチローラ１２１Ｂは、第２駆動ローラ１２１Ａに向けて付勢されている。
【００７７】
第１筐体３１には、第１軸受１０１Ｓと、第２軸受１０２Ｓとが設けられている。第１軸受１０１Ｓは、第１駆動ローラ１１１Ａ、１１２Ａ及び第１ピンチローラ１１１Ｂ、１１２ＢがシートＳＨを挟んでいない状態において、付勢バネ１０１Ｆに付勢される第１従動軸１０１に対して駆動軸心Ｘ１Ａ側から当接し、第１従動軸１０１を支持する。第２軸受１０２Ｓは、第２駆動ローラ１２１Ａ及び第２ピンチローラ１２１ＢがカードＣＡを挟んでいない状態において、付勢バネ１０２Ｆに付勢される第２従動軸１０２に対して駆動軸心Ｘ１Ａ側から当接し、第２従動軸１０２を支持する。この状態では、第１従動軸１０１及び第２従動軸１０２は、駆動軸心Ｘ１Ａと平行な従動軸心Ｘ１Ｂを規定している。つまり、第１ピンチローラ１１１Ｂ、１１２Ｂ及び第２ピンチローラ１２１Ｂは、第１筐体３１内において、シートＳＨ又はカードＣＡに当接していない状態では、従動軸心Ｘ１Ｂ周りに回転可能に支持されている。
【００７８】
第１軸受１０１Ｓが第１従動軸１０１に当接する位置と、第２軸受１０２Ｓが第２従動軸１０２に当接する位置とは、同じである。つまり、第１軸受１０１Ｓに支持された第１従動軸１０１が駆動軸心Ｘ１Ａから離間する距離と、第２軸受１０２Ｓに支持された第２従動軸１０２が駆動軸心Ｘ１Ａから離間する距離とが同じである。そして、第１従動軸１０１の外径Ｄ１０１と、第２従動軸１０２の外径Ｄ１０２とが同じであることから、第１軸受１０１Ｓに支持された第１従動軸１０１と、第２軸受１０２Ｓに支持された第２従動軸１０２とは、第１従動軸心Ｘ１Ｂを規定している。
【００７９】
図８に示すように、第２駆動ローラ１２１Ａ及び第２ピンチローラ１２１ＢがカードＣＡを挟んでいない状態において、隙間Ｓ２が形成されている。隙間Ｓ２は、図１０に示すカードＣＡの厚みＴ２より小さく、かつ、図９に示すシートＳＨの厚みＴ１より大きい。シートＳＨの厚みＴ１は、普通紙であればおおよそ０．０８ｍｍ〜０．１２ｍｍ程度であり、厚紙であっても、約０．２ｍｍ程度である。カードＣＡの厚みＴ２は、そのカードＣＡがＩＳＯ規格品であれば、約０．７６ｍｍである。
【００８０】
図９に示すように、第１ピンチローラ１１１Ｂ、１１２Ｂは、シートＳＨに当接することにより、付勢バネ１０１Ｆが圧縮されて平行移動し、駆動軸心Ｘ１Ａから離間する。図１０に示すように、第２ピンチローラ１２１Ｂは、カードＣＡに当接することにより、付勢バネ１０２Ｆが圧縮されて平行移動し、駆動軸心Ｘ１Ａから離間する。この際、隙間Ｓ２がカードＣＡの厚みＴ２より小さいことにより、第２駆動ローラ１２１Ａ及び第２ピンチローラ１２１ＢがカードＣＡを確実に挟むことができる。
【００８１】
第１駆動ローラ１１１Ａ、１１２Ａ及び第２駆動ローラ１２１Ａは、制御基板５４が駆動モータ４０Ｍを制御することにより駆動モータ４０Ｍに駆動されて、駆動軸心Ｘ１Ａ周りに回転する。
【００８２】
図９に示すように、第１駆動ローラ１１１Ａ、１１２Ａに向けて付勢される第１ピンチローラ１１１Ｂ、１１２Ｂは、第１駆動ローラ１１１Ａ、１１２ＡとともにシートＳＨを挟んでいる状態で、第１駆動ローラ１１１Ａ、１１２Ａによって従動回転する。これにより、シートＳＨが搬送される場合には、第１駆動ローラ１１１Ａ、１１２Ａと第１ピンチローラ１１１Ｂ、１１２Ｂとは、搬送路１０において搬送されるシートＳＨを挟んで回転し、シートＳＨを第１排出口１２へ搬送する。この際、隙間Ｓ２がシートＳＨの厚みＴ１より大きいことにより、シートＳＨの右端部と第２ピンチローラ１２１Ｂとが接触し難い。
【００８３】
図１０に示すように、第２駆動ローラ１２１Ａに向けて付勢される第２ピンチローラ１２１Ｂは、第２駆動ローラ１２１ＡとともにカードＣＡを挟んでいる状態で、第２駆動ローラ１２１Ａによって従動回転する。これにより、カードＣＡが搬送される場合には、第２駆動ローラ１２１Ａと第２ピンチローラ１２１Ｂとは、第２導入口２１から導入され、カード通過路２９を通過したカードＣＡをカード搬送領域２０において挟んで回転し、カードＣＡを第２排出口２２へ搬送する。
【００８４】
図５〜図７に示すように、画像読取センサ５５Ａは、第２筐体３２に組み付けられている。より具体的には、画像読取センサ５５Ａは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。画像読取センサ５５Ａの上面は、下側案内面３２Ｇの水平部分において搬送路１０に露出している。画像読取センサ５５Ｂは、第１筐体３１に組み付けられている。より具体的には、画像読取センサ５５Ｂは、ＣＩＳ、ＣＩＳホルダ及びコンタクトガラス等を備える。画像読取センサ５５Ｂの下面は、上側案内面３１Ｇの水平部分において搬送路１０に露出している。すなわち、画像読取センサ５５Ａ、５５Ｂは、カード搬送領域２０を含む搬送路１０全体を上下方向から挟むように対向している。上記構成により、画像読取センサ５５Ａ、５５Ｂは、搬送路１０において搬送されるシートＳＨの両面の画像を読み取るとともに、カード搬送領域２０において搬送されるカードＣＡの両面の画像を読み取る。すなわち、画像読取センサ５５Ａ、５５Ｂは、シートＳＨが搬送される場合には、シートＳＨの両面の画像を読み取り、カードＣＡが搬送される場合には、カードＣＡの両面の画像を読み取る。なお、本開示において、「対向」とは必ずしも真対向を意味せず、例えば、シートＳＨの搬送方向において、画像読取センサ５５Ａの一部が画像読取センサ５５Ｂに対してずれていてもよい。
【００８５】
図５〜図７に示すように、下流側搬送部４２は、筐体３０内で画像読取センサ５５Ａ、５５Ｂより搬送路１０の下流側、すなわち第１排出口１２側に設けられている。
【００８６】
本実施例では、下流側搬送部４２は、上流側搬送部４１と同一構成であって、筐体３０内における設置位置が異なるだけである。つまり、下流側搬送部４２は、上流側搬送部４１が有する第１搬送ローラ対１１０及び第２搬送ローラ対１２０と同一構成の第１搬送ローラ対及び第２搬送ローラ対を有している。このため、下流側搬送部４２についての詳しい説明は省略する。
【００８７】
下流側搬送部４２の第１搬送ローラ対は、制御基板５４が駆動モータ４０Ｍを制御することにより駆動モータ４０Ｍに駆動されて、搬送路１０において搬送されるシートＳＨを挟んで回転し、シートＳＨを第１排出口１２から筐体３０の外部に排出する。また、下流側搬送部４２の第２搬送ローラ対は、カード通過路２９を通過し、カード搬送領域２０において画像が読み取られたカードＣＡを挟んで回転し、カードＣＡを第２排出口２２から筐体３０の外部に排出する。
【００８８】
図３及び図６等に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００８９】
タッチパネル７０は、制御基板５４に制御されて、画像読取動作の処理状況やエラー状況等である画像読取装置１の稼働状況等を表示する。また、タッチパネル７０は、外部からの操作を受け付ける。具体的には、タッチパネル７０は、図１に示す「ＳＴＡＲＴ」ボタンＢ１のような各種のボタンを表示する。そして、ユーザがいずれかのボタンに対応する処理の実行指示や設定入力を行うために、タッチパネル７０に触れると、タッチパネル７０は、その操作を受け付けて、制御基板５４に伝達する。
【００９０】
図１及び図３等に示すように、開閉位置センサ６０は、給送トレイ３６の筐体３０に対する位置を検知するものである。より詳しくは、開閉位置センサ６０は、右側のサイドフレーム３３Ｒの後側上端部に設けられて、右側のヒンジ部３６Ｒに隣接している。開閉位置センサ６０は、マイクロスイッチやロータリースイッチ等からなり、給送トレイ３６の開閉軸心Ｘ３６周りの回動によって断接する。開閉位置センサ６０は、給送トレイ３６が開位置にあることを検知し、その旨の検知信号を制御基板５４に伝達する。
【００９１】
＜シート及びカードの画像読取動作＞
この画像読取装置１では、以下のようにして、シートＳＨ及びカードＣＡの画像が読み取られる。
【００９２】
シートＳＨの画像が読み取られる場合、ユーザにより、給送トレイ３６が開位置にあれば開位置が維持され、給送トレイ３６が閉位置にあれば開位置に変位される。そして、ユーザにより、開位置にある給送トレイ３６にシートＳＨが載置される。制御基板５４は、タッチパネル７０からシートＳＨの読取指示があった場合に、シートＳＨの画像読取動作を開始する。タッチパネル７０のシート読取指示は、タッチパネル７０に表示されたシート読取「ＳＴＡＲＴ」ボタンが押されることにより生成され、制御基板５４に送られる。図示は省略するが、シート読取「ＳＴＡＲＴ」ボタンは、図１に示すカード読取「ＳＴＡＲＴ」ボタンＢ１と同様の表示である。
【００９３】
そうすると、制御基板５４は、給送トレイ３６が開位置にあることを開閉位置センサ６０が検知し、給送トレイ３６にシートＳＨが存在することを図示しないシートセンサが検知していることを確認した上で、搬送部４０の駆動モータ４０Ｍを駆動する制御を行う。そうすると、まず、分離ローラ４８が分離パッド４９とシートＳＨを挟みながら回転する。分離ローラ４８は、給送トレイ３６上のシートＳＨを第１導入口１１から導入し、シートＳＨを搬送路１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００９４】
次に、上流側搬送部４１の第１搬送ローラ対１１０は、第１駆動ローラ１１１Ａ、１１２Ａ及び第１ピンチローラ１１１Ｂ、１１２Ｂによって、分離ローラ４８に送り出されたシートＳＨを搬送路１０において搬送する。搬送路１０において搬送されるシートＳＨの両面の画像が画像読取センサ５５Ａ、５５Ｂにより読み取られる。画像が読み取られたシートＳＨは、下流側搬送部４２の第１搬送ローラ対によって、第１排出口１２から筐体３０の外部に排出される。
【００９５】
一方、カードＣＡの画像が読み取られる場合、給送トレイ３６が開位置にあれば閉位置に変位され、閉位置にあれば閉位置が維持される。そして、図２に示すように、ユーザにより、カードＣＡが筐体３０の後方から第２導入口２２に差し込まれる。そうすると、カードＣＡは、カード通過路２９を通過し、その先端がカード搬送領域２０に到達する。制御基板５４は、タッチパネル７０からカードＣＡの読取指示があった場合に、カードＣＡの画像読取動作を開始する。タッチパネル７０のカード読取指示は、タッチパネル７０に表示されたカード読取「ＳＴＡＲＴ」ボタンＢ１が押されることにより生成され、制御基板５４に送られる。
【００９６】
そうすると、制御基板５４は、カードＣＡが第２導入口２２に存在することを図示しないカードセンサが検知していることを確認した上で、搬送部４０の駆動モータ４０Ｍを駆動する制御を行う。そうすると、上流側搬送部４１の第２搬送ローラ対１２０は、第２駆動ローラ１２１Ａ及び第２ピンチローラ１２１Ｂによって、カード搬送領域２０においてカードＣＡを搬送する。カード搬送領域２０において搬送されるカードＣＡの両面の画像が画像読取センサ５５Ａ、５５Ｂにより読み取られる。画像が読み取られたカードＣＡは、下流側搬送部４２の第２搬送ローラ対によって、第１排出口１２から筐体３０の外部に排出される。
【００９７】
＜作用効果＞
第１実施例の画像読取装置１では、第１搬送ローラ対１１０及び第２搬送ローラ対１２０が動作することにより、幅の異なるシートＳＨ及びカードＣＡを搬送路１０において搬送することができる。
【００９８】
そして、この画像読取装置１では、第１駆動ローラ１１１Ａ、１１２Ａ及び第１ピンチローラ１１１Ｂ、１１２Ｂが左右方向においてカード搬送領域２０外に位置していることから、カードＣＡを搬送する場合、カードＣＡに対して、第１駆動ローラ１１１Ａ、１１２Ａ及び第１ピンチローラ１１１Ｂ、１１２Ｂは当接せず、第２駆動ローラ１２１Ａ及び第２ピンチローラ１２１Ｂが当接し得る。その結果、この画像読取装置１では、カードＣＡに作用する搬送抵抗のバランスが崩れてしまうという不具合が発生し難い。
【００９９】
したがって、第１実施例の画像読取装置１では、幅の異なるシートＳＨ及びカードＣＡを搬送することが可能であるとともに、カードＣＡが搬送路１０のカード搬送領域２０において斜行することを抑制できる。
【０１００】
また、この画像読取装置１では、第２ピンチローラ１２１Ｂが第１ピンチローラ１１１Ｂ、１１２Ｂの外径Ｄ１より小さい外径Ｄ２をもち、第１ピンチローラ１１１Ｂ、１１２Ｂ及び第２ピンチローラ１２１Ｂは、同じ従動軸心Ｘ１Ｂ周りに回転可能に支持されている。従って、カードＣＡよりも薄いシートＳＨが搬送される場合、シートＳＨが第２ピンチローラ１２１Ｂに当接し難い。シートＳＨが第２ピンチローラ１２１Ｂに当接する場合、第２ピンチローラ１２１ＢからシートＳＨに搬送抵抗が作用し、シートＳＨが斜行し得る。しかし、この画像読取装置１では、シートＳＨが第２ピンチローラ１２１Ｂに当接し難いため、シートＳＨの斜行を抑制できる。
【０１０１】
さらに、この画像読取装置１では、第２駆動ローラ１２１Ａと第２ピンチローラ１２１Ｂとの間に形成された隙間Ｓ２がカードＣＡの厚みＴ２より小さいことにより、第２駆動ローラ１２１Ａ及び第２ピンチローラ１２１ＢがカードＣＡを確実に挟むことができる。また、その隙間Ｓ２がシートＳＨの厚みＴ１より大きいことにより、シートＳＨと第２ピンチローラ１２１Ｂとが接触し難いので、第２ピンチローラ１２１ＢからシートＳＨに搬送抵抗が作用し難い。その結果、この画像読取装置１では、搬送路１０において搬送されるシートＳＨの斜行を抑制できる。
【０１０２】
また、この画像読取装置１では、例えば、シートＳＨが左右方向においてカールしている場合等には、図９に示すように、シートＳＨの右端縁と第２ピンチローラ１２１Ｂとが接触し易くなる。このような場合でも、第２ピンチローラ１２１Ｂの摩擦係数μ２が第１ピンチローラ１１１Ｂ、１１２Ｂの摩擦係数μ１より小さいことにより、第２ピンチローラ１２１ＢからシートＳＨの右端縁に作用する搬送抵抗が小さくなる。その結果、この画像読取装置１では、搬送路１０において搬送されるシートＳＨの斜行を確実に抑制できる。
【０１０３】
さらに、この画像読取装置１では、第１従動軸１０１及び第２従動軸１０２のそれぞれが駆動軸心Ｘ１Ａに向けて付勢されている。そして、第１駆動ローラ１１１Ａ、１１２Ａ及び第１ピンチローラ１１１Ｂ、１１２ＢがシートＳＨを挟むと、第１従動軸１０１が平行移動する一方、第２駆動ローラ１２１Ａ及び第２ピンチローラ１２１ＢがカードＣＡを挟むと、第２従動軸１０２が平行移動する。これにより、この画像読取装置１では、第１駆動ローラ１１１Ａ、１１２Ａ及び第１ピンチローラ１１１Ｂ、１１２ＢがシートＳＨを挟む場合と、第２駆動ローラ１２１Ａ及び第２ピンチローラ１２１ＢがカードＣＡを挟む場合とで、第１ピンチローラ１１１Ｂ、１１２Ｂと第２ピンチローラ１２１Ｂとが互いに影響を及ぼさないので、幅の異なるシートＳＨ及びカードＣＡを搬送路１０において良好に搬送できる。
【０１０４】
また、この画像読取装置１では、第１従動軸１０１の外径Ｄ１０１と、第２従動軸１０２の外径Ｄ１０２とが同じであり、第１軸受１０１Ｓが第１従動軸１０１に当接する位置と、第２軸受１０２Ｓが第２従動軸１０２に当接する位置とが同じである。これにより、この画像読取装置１では、第１軸受１０１Ｓと第２軸受１０２Ｓとを平板状に形成できるので、仮に第１軸受１０１Ｓ及び第２軸受１０２Ｓが階段状になっている場合と比較して、第１軸受１０１Ｓ及び第２軸受１０２Ｓを嵩張らなくすることができる。その結果、この画像読取装置１では、薄型化を確実に実現しつつシートＳＨ及びカードＣＡの斜行を抑制できる。
【０１０５】
（第２実施例）
第２実施例の画像読取装置は、第１実施例の画像読取装置１の上流側搬送部４１及び下流側搬送部４２の代わりに、図１１に示す上流側搬送部２４１、及び上流側搬送部２４１と同一構成の下流側搬送部を採用している。第２実施例のその他の構成は、第１実施例と同一である。このため、第１実施例と同一の構成については同一の符号を付して、説明を省略又は簡略する。
【０１０６】
上流側搬送部２４１は、第１実施例の上流側搬送部４１における第１従動軸１０１と第２従動軸１０２とを共通従動軸２０１に変更している。共通従動軸２０１は、第１従動軸１０１と第２従動軸１０２が一体に連結された形状を有し、従動軸心Ｘ１Ｂを規定している。
【０１０７】
共通従動軸２０１の左右両端部には、付勢バネ２０１Ｆが連結されている。付勢バネ２０１Ｆが共通従動軸２０１を駆動軸心Ｘ１Ａに向けて付勢することにより、第１ピンチローラ１１１Ｂ、１１２Ｂ及び第２ピンチローラ１２１Ｂは、第１駆動ローラ１１１Ａ、１１２Ａ及び第２駆動ローラ１２１Ａに向けて付勢されている。
【０１０８】
このような構成である第２実施例の画像読取装置でも、カードＣＡに作用する搬送抵抗のバランスが崩れてしまうという不具合が発生し難い。したがって、第２実施例の画像読取装置では、幅の異なるシートＳＨ及びカードＣＡを搬送することが可能であるとともに、カードＣＡが搬送路１０のカード搬送領域２０において斜行することを抑制できる。
【０１０９】
また、この画像読取装置では、第１ピンチローラ１１１Ｂ、１１２Ｂと第２ピンチローラ１２１Ｂとがそれぞれ専用の従動軸を有している場合と比較して、部品点数を削減しつつシートＳＨ及びカードＣＡの斜行を抑制できる。
【０１１０】
（第３実施例）
第３実施例の画像読取装置は、第１実施例の画像読取装置１の上流側搬送部４１及び下流側搬送部４２の代わりに、図１２に示す上流側搬送部３４１、及び上流側搬送部３４１と同一構成の下流側搬送部を採用している。第３実施例のその他の構成は、第１実施例と同一である。このため、第１実施例と同一の構成については同一の符号を付して、説明を省略又は簡略する。
【０１１１】
第１実施例では付勢バネ１０１Ｆ、１０２Ｆに直接付勢されていた第１従動軸１０１及び第２従動軸１０２は、第３実施例では、１つのホルダ３０３に保持される構成に変更されている。第１従動軸１０１及び第２従動軸１０２は、ホルダ３０３に保持された状態で従動軸心Ｘ１Ｂを規定している。
【０１１２】
ホルダ３０３には、付勢バネ３０３Ｆが連結されている。付勢バネ３０３Ｆがホルダ３０３を駆動軸心Ｘ１Ａに向けて付勢することにより、第１ピンチローラ１１１Ｂ、１１２Ｂ及び第２ピンチローラ１２１Ｂは、第１駆動ローラ１１１Ａ、１１２Ａ及び第２駆動ローラ１２１Ａに向けて付勢されている。
【０１１３】
このような構成である第３実施例の画像読取装置でも、カードＣＡに作用する搬送抵抗のバランスが崩れてしまうという不具合が発生し難い。したがって、第３実施例の画像読取装置では、幅の異なるシートＳＨ及びカードＣＡを搬送することが可能であるとともに、カードＣＡが搬送路１０のカード搬送領域２０において斜行することを抑制できる。
【０１１４】
（第４実施例）
第４実施例の画像読取装置は、第１実施例の画像読取装置の上流側搬送部４１及び下流側搬送部４２の代わりに、図１３に示す上流側搬送部４４１、及び上流側搬送部４４１と同一構成の下流側搬送部を採用している。第４実施例のその他の構成は、第１実施例と同一である。このため、第１実施例と同一の構成については同一の符号を付して、説明を省略又は簡略する。
【０１１５】
第１実施例では付勢バネ１０１Ｆ、１０２Ｆに直接付勢されていた第１従動軸１０１及び第２従動軸１０２は、第４実施例では、１つのホルダ４０３に保持される構成に変更されている。第１従動軸１０１は、ホルダ４０３に保持された状態で第１従動軸心Ｘ４１Ｂを規定している。第２従動軸１０２は、ホルダ４０３に保持された状態で第１従動軸心Ｘ４１Ｂと平行な第２従動軸心Ｘ４２Ｂを規定している。
【０１１６】
第４実施例では、第１実施例の第２ピンチローラ１２１Ｂの代わりに、第２ピンチローラ４２１Ｂを採用している。第２ピンチローラ４２１Ｂは、第１ピンチローラ１１１Ｂ、１１２Ｂと同じ外径Ｄ１をもつ。これ以外の第２ピンチローラ４２１Ｂの構成は、第２ピンチローラ１２１Ｂと同一である。
【０１１７】
第２ピンチローラ４２１Ｂが第１ピンチローラ１１１Ｂ、１１２Ｂと同じ外径Ｄ１をもつことに対応して、第２従動軸心Ｘ４２Ｂは、駆動軸心Ｘ１に対して、第１従動軸心Ｘ４２１よりも離間して配置されている。これにより、第２駆動ローラ１２１Ａ及び第２ピンチローラ４２１ＢがカードＣＡを挟んでいない状態において、第２駆動ローラ１２１Ａと第２ピンチローラ１２１Ｂとの間には、隙間Ｓ２が形成されている。
【０１１８】
ホルダ４０３には、付勢バネ４０３Ｆが連結されている。付勢バネ４０３Ｆがホルダ４０３を駆動軸心Ｘ１Ａに向けて付勢することにより、第１ピンチローラ１１１Ｂ、１１２Ｂ及び第２ピンチローラ４２１Ｂは、第１駆動ローラ１１１Ａ、１１２Ａ及び第２駆動ローラ１２１Ａに向けて付勢されている。
【０１１９】
このような構成である第４実施例の画像読取装置でも、カードＣＡに作用する搬送抵抗のバランスが崩れてしまうという不具合が発生し難い。したがって、第４実施例の画像読取装置では、幅の異なるシートＳＨ及びカードＣＡを搬送することが可能であるとともに、カードＣＡが搬送路１０のカード搬送領域２０において斜行することを抑制できる。
【０１２０】
（第５実施例）
図１４及び図１５に示すように、第５実施例の画像読取装置では、第１実施例の画像読取装置１における第２排出口２２を第２導入排出口５２１に変更し、第１実施例の画像読取装置１における第２導入口２１を中間排出口５２２に変更している。第５実施例のその他の構成は第１実施例と同一である。このため、第１実施例と同一の構成については、同一の符号を付して説明を省略又は簡略する。
【０１２１】
第２導入排出口５２１は、第１実施例の第２排出口２２と同一形状である。第２導入排出口５２１は、第１排出口１２の右端側の一部と共用されている。中間排出口５２２は、第１実施例の第２導入口２１と同一形状である。
【０１２２】
第２導入排出口５２１に、カードＣＡが導入される。上流側搬送部４１の第２搬送ローラ対１２０と、下流側搬送部４２の第２搬送ローラ対とは、カード搬送領域２０においてカードＣＡを後方に搬送する。この後方へのカードＣＡの搬送は、制御基板５４のＣＰＵが、搬送部４０を第１実施例における搬送部４０の回転方向と反対方向に逆送させることにより実行される。そして、カードＣＡは、カード通過路２９を通過し、中間排出口５２２から筐体３０の外部に自己の一部が排出される。つまり、カードＣＡは、頭出し位置に達するまで後方に搬送される。次に、上流側搬送部４１の第２搬送ローラ対１２０と、下流側搬送部４２の第２搬送ローラ対とは、カード搬送領域２０においてカードＣＡを前方に搬送する。この際、画像読取センサ５５Ａ、５５Ｂにより画像を読み取られた後、カードＣＡは、第２導入排出口５２１から筐体３０の外部に排出される。
【０１２３】
上記第５実施例の画像読取装置も、第１実施例の画像読取装置１と同様の作用効果を奏することができる。
【０１２４】
（第６実施例）
図１６に示すように、第６実施例の画像読取装置では、第１実施例の画像読取装置１における第２排出口２２をカードＣＡが導入される第２導入口に変更し、第１実施例の画像読取装置１における第２導入口２１をカードＣＡが排出される第２排出口６２２に変更している。第６実施例のその他の構成は第１実施例と同一である。このため、第１実施例と同一の構成については、同一の符号を付して説明を省略又は簡略する。
【０１２５】
第６実施例の第２導入口は、第５実施例の第２導入排出口５２１と同様に、第１実施例の第２排出口２２と同一形状である。このため、図示は省略する。第２排出口６２２は、第１実施例の第２導入口２１と同一形状である。
【０１２６】
第２導入口に、カードＣＡが導入される。上流側搬送部４１の第２搬送ローラ対１２０と、下流側搬送部４２の第２搬送ローラ対とは、カード搬送領域２０においてカードＣＡを後方に搬送する。そして、カードＣＡは、画像読取センサ５５Ａ、５５Ｂにより画像を読み取られた後、カード通過路２９を通過し、第２排出口６２２から筐体３０の外部に排出される。
【０１２７】
上記第６実施例の画像読取装置も、第１実施例の画像読取装置１と同様の作用効果を奏することができる。
【０１２８】
以上において、本発明を第１〜第６実施例に即して説明したが、本発明は上記第１〜第６実施例に制限されるものではなく、その趣旨を逸脱しない範囲で適宜変更して適用できることはいうまでもない。
【０１２９】
第１実施例では、上流側搬送部４１と下流側搬送部４２とが同一構成であるがこの構成に限定されない。例えば、下流側搬送部４２は、上流側搬送部４１と異なる構成を備えていてもかまわない。具体例を挙げると、上流側搬送部４１の第１搬送ローラ対１１０がシートＳＨを搬送し、第２搬送ローラ対１２０がカードＣＡを搬送する一方、下流側搬送部４２が有する複数の搬送ローラ対が全てシートＳＨ及びカードＣＡの搬送を行うものであってもよい。
【０１３０】
第１実施例では、カードＣＡが第２排出口２２から筐体３０の外部に排出されていたが、この構成を変更して、カードＣＡが第２排出口２２から一時的に外部に露出した後、第２導入口２１に向かって逆送され、第２導入口２１から筐体３０の外部に排出されるようにしてもよい。
【０１３１】
画像読取センサ５５Ａ、５５Ｂは、第１実施例ではＣＩＳを備えていたがこれに限らず、ＣＩＳの代わりに、Ｃｈａｒｇｅ  Ｃｏｕｐｌｅｄ  Ｄｅｖｉｃｅ（ＣＣＤ）等が採用されてもよい。
【産業上の利用可能性】
【０１３２】
本発明は画像読取装置、画像形成装置又は複合機等に利用可能である。
【符号の説明】
【０１３３】
１…画像読取装置（画像読取装置）、３０…筐体
ＳＨ…シート（第１媒体）、ＣＡ…カード（第２媒体）
１０…搬送路、２０…カード搬送領域（搬送領域）
１１０…第１搬送ローラ対、１２０…第２搬送ローラ対
１１１Ａ、１１２Ａ…第１駆動ローラ、１１１Ｂ、１１２Ｂ…第１ピンチローラ
１２１Ａ…第２駆動ローラ、１２１Ｂ…第２ピンチローラ
Ｘ１Ａ…駆動軸心、Ｘ１Ｂ…従動軸心
Ｄ１…第１ピンチローラの外径、Ｄ２…第２ピンチローラの外径
Ｔ１…シート（第１媒体）の厚み、Ｔ２…カード（第２媒体）の厚み
Ｓ２…第２駆動ローラと第２ピンチローラとの間に形成された隙間
μ１…第１ピンチローラの摩擦係数、μ２…第２ピンチローラの摩擦係数
１０１…第１従動軸、１０２…第２従動軸
１０１Ｓ…第１軸受、１０２Ｓ…第２軸受
Ｄ１０１…第１従動軸の外径、Ｄ１０２…第２従動軸の外径
２０１…共通従動軸、３０３、４０３…ホルダ
Ｘ４１Ｂ…第１従動軸心、Ｘ４２Ｂ…第２従動軸心
【図１】
2014069917.tif 000003
【図２】
2014069917.tif 000004
【図３】
2014069917.tif 000005
【図４】
2014069917.tif 000006
【図５】
2014069917.tif 000007
【図６】
2014069917.tif 000008
【図７】
2014069917.tif 000009
【図８】
2014069917.tif 000010
【図９】
2014069917.tif 000011
【図１０】
2014069917.tif 000012
【図１１】
2014069917.tif 000013
【図１２】
2014069917.tif 000014
【図１３】
2014069917.tif 000015
【図１４】
2014069917.tif 000016
【図１５】
2014069917.tif 000017
【図１６】
2014069917.tif 000018